(57)【要約】【課題】ＣＤあるいはＤＶＤのケースにタグの装着装置を設け、特有のタグ識別配列を構成して、多数収納するケースの中から特定のケースを能率良く検索することができる、インデックス装置を提供する。【解決手段】ＣＤあるいはＤＶＤを収納するケースに、タグ装着によるインデックス装置を設けて、彩色あるいは模様が異なる種類のタグを混用して多様に装着し、その配列の仕様でケース毎に視認性の高い特有のタグ識別配列を構成して標示し、棚や箱に多数並べて収納するケースの中から特定のケースを能率良く検索することを特徴とする、ＣＤあるいはＤＶＤケースのタグ装着によるインデックス装置、および、その装置ユニットとで構成している。【選択図】図１
2016050038.tif 000002
【特許請求の範囲】
【請求項１】
第一発明は、ＣＤあるいはＤＶＤの収納ケースに、タグ装着によるインデックス装置を設けて、彩色あるいは模様が異なる種類のタグを混用して多様に装着し、その配列の仕様でケース毎に視認性の高い特有のタグ識別配列を構成して標示し、棚や箱などに数多く並べて収納するケースの中から特定のケースを能率良く検索することを特徴とする、ＣＤあるいはＤＶＤケースのタグを装着によるインデックス装置である。
【請求項２】
第二発明は、第一発明のインデックス装置部全体を切離して独立構造にして、装置全体を既製のＣＤあるいはＤＶＤの収納ケースへ任意かつ簡便に取り付けできるユニット構造であり、そこに彩色あるいは模様が異なる種類のタグを混用して多様に装着し、その配列の仕様でケース毎に視認性の高い特有のタグ識別配列を構成して標示し、棚や箱などに数多く並べて収納するケースの中から特定のケースを能率良く検索することを特徴とする、ＣＤあるいはＤＶＤケースのタグ装着によるインデックス装置ユニットである。
【請求項３】
第三発明は、ＣＤあるいはＤＶＤを収納する袋状ケースに、タグ装着による偏平構造のインデックス装置を設けて、彩色あるいは模様が異なる種類のタグを混用して多様に装着し、その配列の仕様でケース毎に視認性の高い特有のタグ識別配列を構成して標示し、棚や箱などに数多く並べて収納する袋状ケースの中から特定の袋状ケースを能率良く検索することを特徴とする、ＣＤあるいはＤＶＤ袋状ケースのタグ装着による偏平構造のインデックス装置である。
【請求項４】
第四発明は、第三発明の偏平構造のインデックス装置部全体を切離して独立構造にし、装置全体を既製の袋状ケースへ任意かつ簡便に取り付けできる構造であり、そこに彩色あるいは模様が異なる種類のタグを混用して多様に装着し、その配列の仕様で袋状ケース毎に視認性の高い特有のタグ識別配列を構成して標示し、棚や箱などに数多く並べて収納する袋状ケースの中から特定の袋状ケースを能率良く検索することを特徴とする、ＣＤあるいはＤＶＤ袋状ケースのタグ装着による偏平構造のインデックス装置ユニットである。
【請求項５】
第五発明は、ＣＤあるいはＤＶＤの収納ケースに、枠外標示タグ装着によるインデックス装置を設けて、彩色あるいは模様が異なる種類のタグを混用して多様に装着し、その配列の仕様でケース毎に視認性の高い特有のタグ識別配列を構成して枠外標示し、棚や箱などに数多く並べて収納するケースの中から特定のケースを能率良く検索することを特徴とする、ＣＤあるいはＤＶＤケースの枠外標示タグ装着によるインデックス装置である。
【発明の詳細な説明】
【技術分野】
【０００１】  本発明は、ＣＤあるいはＤＶＤケースのタグ装着によるインデックス装置に関する。
【背景技術】
【０００２】  従来は、ＣＤあるいはＤＶＤをケースに収納する場合は、収納するディスクの種類、情報の部類、題名の語順、情報番号、などをケースの表紙部や裏表紙部または脊部、あるいは付箋などに表記し、さらに棚や箱に数多く収納する場合には、検索し易いように脊部を正面向きに揃えて収納するのが一般的である。【０００３】  しかしながら、棚や箱に数多くのＣＤあるいはＤＶＤケースを収納する場合は、省スペース化のために薄型ケースや袋状ケースを用いることが多く、必然的に脊部も狭く脊文字も小さくなり、付箋などは重複や折れ曲りあるいは欠落などを生じ易いなど、それぞれ検索能率が悪いと云う欠点があった。
【先行技術文献】
【特許文献】
【０００４】
【特許文献１】特開２００６−２５６６６７号公報
【特許文献２】特開２００７−５５６２２号公報
【特許文献３】特開２０１１−２１８１１１号公報
【非特許文献】
【０００５】
【非特許文献１】サンワサプライ株式会社  カタログ  ＦＣＤ‐ＦＮ１２０ＢＫ
【発明の概要】
【発明が解決しようとする課題】
【０００６】  本発明は、以上のような従来の欠点に鑑み、ＣＤあるいはＤＶＤを収納する薄型ケースや袋状ケースにタグ装着装置を設けて、ケース毎に特有のタグ識別配列を構成して標示し、棚や箱に数多く並べて収納するケースの中から特定のケースを能率良く検索することができる、ＣＤあるいはＤＶＤケースのタグ装着によるインデックス装置を提供することを目的としている。【０００７】  また、上記のインデックス装置の機構部全体をユニット化して、既製の薄型ケースや袋状ケースなどへ簡便に取り付けができる構造にし、上記発明と同様の効果を得て能率良く検索することができる、ＣＤあるいはＤＶＤケースのタグ装着によるインデックス装置ユニットを提供することを目的としている。
【課題を解決するための手段】
【０００８】  上記の目的を達成するために、第一発明は、ＣＤあるいはＤＶＤを収納する薄型ケースや袋状ケースに、タグ装着によるインデックス装置を設けて、そこに彩色あるいは模様の種類が異なるタグを混用して系統的に装着し、ケース毎に特有のタグ識別配列を構成して標示し、棚や箱に数多く並べて収納するケースの中から、特定のケースを能率良く検索することを特徴とする、ＣＤあるいはＤＶＤケースのタグ装着によるインデックス装置である。【０００９】  また、第二発明は、第一発明の機構部全体をユニット化して、ＣＤあるいはＤＶＤを収納する既製の薄型ケースや袋状ケースへ簡便に取付けできる構造にし、第一発明と同様の効果を得て能率良く検索することを特徴とする、ＣＤあるいはＤＶＤケースのタグ装着によるインデックス装置ユニットとで構成している。
【発明の効果】
【００１０】  以上の説明から明らかなように、本発明にあっては次に列挙する効果が得られる。
（１）本発明の第一発明で示すように、ＣＤあるいはＤＶＤを収納する薄型ケースや袋状ケースなどに、タグ装着によるインデックス装置を設けて、彩色あるいは模様の種類が異なるタグを混用して系統的に装着することにより、ケース毎に特有のタグ識別配列を構成して標示することにより、棚や箱に数多く並べて収納するケースの中から特定のケースを能率良く検索することができる。
（２）第二発明で示すように、タグ装着によるインデックス装置の機構部全体をユニット化して、ＣＤあるいはＤＶＤを収納する既製の薄型ケースや袋状ケースなどへ、ユニット全体を簡便に取付けできる構造にし、第一発明と同様の効果を得て、棚や箱に数多く収納するケースの中から特定のケースを能率良く検索することができる。
【図面の簡単な説明】
【００１１】
【図１】本発明を実施するための第１形態の全体図である。
【図２】図１のＧ−Ｇ部の断面拡大図である。
【図３】本発明を実施するための第２形態の全体図である。
【図４】図３のＨ−Ｈ部の断面拡大図である。
【図５】本発明の実施する第３形態の全体図である。
【図６】図５のＩ−Ｉ部の断面拡大図である。
【図７】本発明を実施するための第４形態の全体図である。
【図８】図７のＪ−Ｊ部の断面拡大図である。
【図９】本発明を実施するための第５形態の全体図である。
【図１０】図９のＫ−Ｋ部の断面拡大図である。
【図１１】タグ着脱仕様の説明図である。
【図１２】特有のタグ識別配列を構成標示したケースを多数収納した実施図である。
【発明を実施するための形態】
【００１２】  以下、本発明の実施の形態を図に基づいて説明する。
【実施例１】
【００１３】  図１は、本発明を実施するための第１形態の全体図であって、ＣＤあるいはＤＶＤ、Ａ、を収納する透明ケース１１にタグ取付ガイド板２１を設け、そこに彩色あるいは模様の種類が異なるタグ３１ａを自在に装着して、その配列仕様でケース毎に特有のタグ配列を構成して標示し、数多く収納するケースの中から特定のケースを能率良く検索することができるインデックス装置であり、図２に図１のＧ−Ｇ部の断面拡大図を示す。【００１４】  先ず、透明なケース１１の内側へ脊部枠１１ａと平行にタグ取付ガイド板２１を設け、その長手方向に案内溝２１ｂと複数の位置決め用ダボ穴２１ａを配置してタグ３１ａの定着位置とし、その近傍に位置符号Ｎを標記する。【００１５】  一方、タグ３１ａは、バネ性のあるクリップ状に形成し、彩色あるいは模様を施して正面の識別部３１ｄ、上挟持部３１ｅ、下挟持部３１ｆとで構成する。上挟持部３１ｅには半球状に押出した位置決め用のダボ３１ｇ、下挟持部３１ｆには誘導部３１ｈを設けるとともに、上下の挟持部には位置符号Ｎが見えるように覗き窓Ｗをあけ、それぞれの端部には適度のＲ面取りを施す。また、タグ３１ａは、図１１に示すようにタグ取付ガイド板２１の斜め上方向から自在に着脱でき、装着したタグ３１ａは、図２に示すようにダボ３１ｇを案内溝２１ｂに係合させ、ケース１１の底面と平行に伏せて長手方向に摺動し、特定の位置決め用ダボ穴２１ａと嵌合させて定着する。【００１６】  ユーザーは、収納するＣＤあるいはＤＶＤ、Ａ、の記録情報を、ディスクの種類、情報の部類、題名の語順、情報番号、などの項目に区分し、各項目をケースの外部から識別できるタグの配列に置換えて標示する。先ず、タグ取付ガイド板２１側の各ダボ穴２１ａと近傍の位置符号Ｎ毎に、ディスクの種類、題名の語順、などの項目を割振り意味付けして特有化する。一方、タグ３１ａ側もタグの彩色あるいは模様の種類毎に、ディスク情報の部類、情報番号、などの項目をそれぞれに割振り意味付けして特有化する。【００１７】  実施時は、ユーザーが収納するディスクの情報に応じて、タグ取付ガイド板の位置とタグの種類を選んで妥当な組合せを設定し、タグ取付ガイド板２１の特定の位置Ｎに、彩色あるいは模様の種類が異なるタグを、タグ３１ａ、タグ３１ｂ、タグ３１ｃ、のように任意の個数を混用し、系統的に装着して特有の識別配列を構成する。【００１８】  特有の識別配列は、タグの装着位置の数、タグの種類の数、タグ装着の数、タグ装着の配置、などの多様な組合せにより数多く設定することができる。【００１９】  以上の説明のとおり、ＣＤあるいはＤＶＤ、Ａ、の多様な記録情報をケースの外部から識別できる系統的なタグの配列に置換えて標示し、ケース毎に視認性の高い特有のタグ識別配列を自在に構成して、図１２に示すように、棚や箱に数多く並べて収納するケースの中から特定のケースを能率良く検索することができる、ＣＤあるいはＤＶＤケースのタグ装着によるインデックス装置である。
【実施例２】
【００２０】  図３は、本発明を実施するための第２形態の全体図であって、実施例１で示すインデックス装置の機構部全体を切離して独立構造にし、全体をＣＤあるいはＤＶＤ、Ａ、を収納する既製の透明ケース１２の内側へ任意かつ簡便に取付けできるユニット装置であり、ケース１２に取付けたタグ取付ガイド板２２に彩色あるいは模様の種類が異なるタグ３２ａを自在に装着して、その配列仕様でケース毎に特有のタグ配列を構成して標示し、数多く収納するケースの中から特定のケースを能率良く検索することができるインデックス装置ユニットであり、図４に、図３のＨ−Ｈ部断の面拡大図を示す。【００２１】  先ず、タグ取付ガイド板２２は、底部２２ｃを既製の透明ケース１２の内側へ脊部枠１２ａと平行に、接着剤または両面接着テープによる接着、あるいは適宜な方法で固定する構造であり、長手方向に案内溝２２ｂと複数の位置決め用ダボ穴２２ａを配置してタグ３２ａの定着位置とし、その近傍に位置符号Ｎを標記する。【００２２】  一方、タグ３２ａは、バネ性のあるクリップ状に形成し、彩色あるいは模様を施して正面の識別部３２ｄ、上挟持部３２ｅ、下挟持部３２ｆとで構成する。上挟持部３２ｅには半球状に押出した位置決め用のダボ３２ｇ、下挟持部３２ｆには誘導部３２ｈを設けるとともに、上下の挟持部には位置符号Ｎが見えるように覗き窓Ｗをあけ、それぞれの端部には適度のＲ面取りを施す。また、タグ３２ａは、図１１に示すようにタグ取付ガイド板２２の斜め上方向から自在に着脱でき、装着したタグ３２ａは、図４に示すようにダボ３２ｇを案内溝２２ｂに係合させ、透明ケース１２の底面と平行に伏せて長手方向に摺動し、特定の位置決め用ダボ穴２２ａと嵌合させて定着する。【００２３】  ユーザーは、収納するＣＤあるいはＤＶＤ、Ａ、の記録情報を、ディスクの種類、情報の部類、題名の語順、情報番号、などの項目に区分し、各項目をケースの外部から識別できるタグの配列に置換えて標示する。先ず、タグ取付ガイド板２２側の各ダボ穴２２ａと近傍の位置符号Ｎ毎に、ディスクの種類、題名の語順、などの項目を割振り意味付けして特有化する。一方、タグ３２ａ側もタグの彩色あるいは模様の種類毎に、ディスク情報の部類、情報番号、などの項目をそれぞれに割振り意味付けして特有化する。【００２４】  実施時は、ユーザーが収納するディスクの情報に応じて、タグ取付ガイド板の位置とタグの種類を選んで妥当な組合せを設定し、タグ取付ガイド板２２の特定の位置Ｎに、彩色あるいは模様の種類が異なるタグを、タグ３２ａ、タグ３２ｂ、タグ３２ｃ、のように任意の個数を混用し、系統的に装着して特有の識別配列を構成する。【００２５】  特有の識別配列は、タグの装着位置の数、タグの種類の数、タグ装着の数、タグ装着の配置、などの多様な組合せにより数多く設定することができる。【００２６】  以上の説明のとおり、本ユニットを既製の透明なケース１２へ任意かつ簡便に取付けて、ＣＤあるいはＤＶＤ、Ａ、の多様な記録情報をケースの外部から識別できる系統的なタグの配列に置換えて標示し、ケース毎に視認性の高い特有のタグ識別配列を自在に構成して、図１２に示すように、棚や箱に数多く並べて収納するケースの中か���特定のケースを能率良く検索することができる、ＣＤあるいはＤＶＤケースのタグ装着によるインデックス装置ユニットである。
【実施例３】
【００２７】  図５は、本発明を実施するための第３形態の全体図であって、ＣＤあるいはＤＶＤ、Ａ、をより省スペース化して収納する袋状ケース１３の頭部に偏平構造のタグ装着によるインデックス装置を設けて、そこに彩色あるいは模様の種類が異なる偏平構造のタグ３３ａを自在に装着し、その配列仕様で袋状ケース毎に特有のタグ配列を構成して、数多く収納する袋状ケースの中から特定のケースを能率良く検索することができる偏平構造のインデックス装置であり、図６は図５のＩ−Ｉ部の断面拡大図を示す。【００２８】  先ず、袋状ケース１３の頭部に偏平構造のタグ取付ガイド板２３を設けて、長手方向に複数の位置決め用ダボ穴２３ａを配置してタグ３３ａの定着位置とし、その近傍に位置符号Ｎを標記するとともに、底部２３ｃの端部に逆止鉤２３ｄを設ける。【００２９】  一方、偏平構造のタグ３３ａは、バネ性のあるクリップ状に形成し、彩色あるいは模様を施して正面の識別部３３ｄ、上挟持部３３ｅ、下挟持部３３ｆとで構成する。上挟持部３３ｅには半球状に押出した位置決め用のダボ３３ｇを設けるとともに、置符号Ｎが見えるように覗き窓Ｗをあける。下挟持部３３ｆには逆止溝３３ｈを設け、上下挟持部の端部には適度のＲ面取りを施す。また、タグ３３ａは、タグ取付ガイド板２３の斜め上方向から自在に着脱でき、装着したタグ３３ａは、図６に示すようにタグ取付ガイド板２３の隙間２３ｂへ差し込んで係合させ、逆止溝３３ｈを逆止鉤２３ｄに掛合させて袋状ケース１３の面と平行に伏せて長手方向に摺動し、ダボ３３ｇを特定の位置決め用ダボ穴２３ａと嵌合させて定着する。【００３０】  ユーザーは、収納するＣＤあるいはＤＶＤ、Ａ、の記録情報を、ディスクの種類、情報の部類、題名の語順、情報番号、などの項目に区分し、各項目を袋状ケースの外部から識別できるタグの配列に置換えて標示する。先ず、タグ取付ガイド板２３側の各ダボ穴２３ａと近傍の位置符号Ｎ毎に、ディスクの種類、題名の語順、などの項目を割振り意味付けして特有化する。一方、タグ３３ａ側もタグの種類毎に、ディスク情報の部類、情報番号、などの項目をそれぞれに割振り意味付けして特有化する。【００３１】  実施時は、ユーザーが収納するディスクの情報に応じて、タグ取付ガイド板の位置とタグの種類を選んで妥当な組合せを設定し、タグ取付ガイド板２３の特定の位置Ｎに、彩色あるいは模様の種類が異なるタグを、タグ３３ａ、タグ３３ｂ、タグ３３ｃ、のように任意の個数を混用し、系統的に装着して特有の識別配列を構成する。【００３２】  特有の識別配列は、タグの装着位置の数、タグの種類の数、タグ装着の数、タグ装着の配置、などの多様な組合せにより数多く設定することができる。【００３３】  以上の説明のとおり、ＣＤあるいはＤＶＤの多様な記録情報を袋状ケースの外部から識別できる系統的なタグの配列に置換えて標示し、袋状ケース毎に視認性の高い特有のタグ識別配列を自在に構成して図１２に示すように、棚や箱に数多く並べて収納する袋状ケースの中から特定の袋状ケースを能率良く検索することができる、ＣＤあるいはＤＶＤの袋状ケースに設けた、偏平構造のタグ装着によるインデックス装置である。
【実施例４】
【００３４】  図７は、本発明を実施するための第４形態の全体図であって、実施例３で示す偏平構造のインデックス装置の機構部全体を切離して独立構造にし、全体をＣＤあるいはＤＶＤ、Ａ、をより省スペース化して収納する既製の袋状ケース１４の頭部へ任意かつ簡便に取付けできる偏平構造のユニット装置であり、袋状ケース１４に取付けた偏平構造のタグ取付ガイド板２４に彩色あるいは模様の種類が異なる偏平構造のタグ３４ａを自在に装着し、その配列仕様で袋状ケース毎に特有のタグ配列を構成して標示し、数多く収納する袋状ケースの中から特定の袋状ケースを能率良く検索することができる、ＣＤあるいはＤＶＤの偏平構造のタグ装着によるインデックス装置ユニットであり、図８に、図７のＪ−Ｊ部断の面拡大図を示す。【００３５】  先ず、偏平構造のタグ取付ガイド板２４には複数の位置決め用ダボ穴２４ａを配置してタグ３４ａの定着位置とし、その近傍に位置符号Ｎを標記するとともに、底部２４ｃを既製の袋状ケース１４の頭部へ接着剤または両面接着テープによる接着、あるいは適宜な方法で固定する構造であり、長手方向に逆止鉤２４ｄを設ける。【００３６】  一方、偏平構造のタグ３４ａは、バネ性のあるクリップ状に形成し、彩色あるいは模様を施して正面の識別部３４ｄ、上挟持部３４ｅ、下挟持部３４ｆとで構成する。上挟持部３４ｅには半球状に押出した位置決め用のダボ３４ｇを設けるとともに、置符号Ｎが見えるように覗き窓Ｗをあける。下挟持部３４ｆには逆止溝３４ｈを設け、上下挟持部の端部には適度のＲ面取りを施す。また、タグ３４ａは、タグ取付ガイド板２４の斜め上方向から自在に着脱でき、装着したタグ３４ａは、図８に示すようにタグ取付ガイド板２４の隙間２４ｂへ差し込んで係合させ、逆止溝３４ｈを逆止鉤２４ｄに掛合させて袋状ケース１４の面と平行に伏せて長手方向に摺動し、ダボ３４ｇを特定の位置決め用ダボ穴２４ａと嵌合させて定着する。【００３７】  ユーザーは、収納するＣＤあるいはＤＶＤ、Ａ、の記録情報を、ディスクの種類、情報の部類、題名の語順、情報番号、などの項目に区分し、各項目をケースの外部から識別できるタグの配列に置換えて標示する。先ず、タグ取付ガイド板２４側の各ダボ穴２４ａと近傍の位置符号Ｎ毎に、ディスクの種類、題名の語順、などの項目を割振り意味付けして特有化する。一方、タグ３４ａ側もタグの種類毎に、ディスク情報の部類、情報番号、などの項目をそれぞれに割振り意味付けして特有化する。【００３８】  実施時は、ユーザーが収納するディスクの情報に応じて、タグ取付ガイド板の位置とタグの種類を選んで妥当な組合せを設定し、タグ取付ガイド板２４の特定の位置Ｎに、彩色あるいは模様が異なる種類のタグを、タグ３４ａ、タグ３４ｂ、タグ３４ｃ、のように任意の個数を混用し、系統的に装着して特有の識別配列を構成する。【００３９】  特有の識別配列は、タグの装着位置の数、タグの種類の数、タグ装着の数、タグ装着の配置、などの多様な組合せにより数多く設定することができる。【００４０】  以上の説明のとおり、本ユニットを既製の袋状ケース１４へ任意かつ簡便に取付けて、ＣＤあるいはＤＶＤ、Ａ、の多様な記録情報を袋状ケースの外部から識別で���る系統的なタグの配列に置換えて標示し、袋状ケース１４毎に視認性の高い特有のタグ識別配列を自在に構成して図１２に示すように、棚や箱に数多く並べて収納する袋状ケースの中から特定の袋状ケースを能率良く検索することができる、ＣＤあるいはＤＶＤの袋状ケースに設けた、偏平構造のタグ装着によるインデックス装置ユニットである。
【実施例５】
【００４１】  図９は、本発明を実施するための第５形態の全体図であって、ＣＤあるいはＤＶＤを収納するケース１５にタグ取付ガイド板２５を設けて、そこに彩色あるいは模様が異なる種類の枠外標示タグ３５ａを自在に装着し、その配列次第でケース毎に特有のタグ配列を構成して、多数収納するケースの中から特定のケースを能率良く検索することができるインデックス装置であり、図１０に図９のＫ−Ｋ部の断面拡大図を示す。【００４２】  先ず、ケース１５の内側に脊部枠１５ａと平行にタグ取付ガイド板２５を設けて、その長手方向に案内溝２５ｂと複数の位置決め用ダボ穴２５ａを配置して、枠外標示タグ３５ａの定着位置とし、その近傍に位置符号Ｎを標記する。【００４３】  一方、枠外標示タグ３５ａは、バネ性のあるクリップ状に形成して彩色あるいは模様を施し、正面の識別部３５ｄ、上挟持部３５ｅ、下挟持部３５ｆとで構成する。正面の識別部３５ｄはケース１５の脊部枠１５ａを跨いで枠外に標示して視認性を高める形状にし、上挟持部３５ｅには半球状に押出した位置決め用のダボ３５ｇ、下挟持部３５ｆには誘導部３５ｈを設けるとともに、上下の挟持部には位置符号Ｎが見えるように覗き窓Ｗをあけ、それぞれの端部には適度のＲ面取りを施す。また、タグ３５ａは、図１１に示すようにタグ取付ガイド板２５の斜め上方向から自在に着脱でき、装着した枠外標示タグ３５ａは、図１０に示すようにダボ３５ｇを案内溝２５ｂに係合させて、ケース１５の底面と平行に伏せて長手方向に摺動し、特定の位置決め用ダボ穴２５ａと嵌合させて定着する。【００４４】  ユーザーは、収納するＣＤあるいはＤＶＤ、Ａ、の記録情報を、ディスクの種類、情報の部類、題名の語順、情報番号、などの項目に区分し、各項目をケースの外部から識別できるタグの配列に置換えて標示する。先ず、タグ取付ガイド板２５側の各ダボ穴２５ａと近傍の位置符号Ｎ毎に、ディスクの種類、題名の語順、などの項目を割振り意味付けして特有化する。一方、枠外標示タグ３５ａ側もタグの種類毎に、ディスク情報の部類、情報番号、などの項目をそれぞれに割振り意味付けして特有化する。【００４５】  実施時は、ユーザーが収納するディスクの情報に応じて、タグ取付ガイド板の位置とタグの種類を選んで妥当な組合せを設定し、タグ取付ガイド板２５の特定の位置Ｎに、彩色あるいは模様が異なる種類の枠外標示のタグを、タグ３５ａ、タグ３５ｂ、タグ３５ｃ、のように任意の個数を混用し、系統的に装着して特有の識別配列を構成する。【００４６】  特有の識別配列は、タグの装着位置の数、タグの種類の数、タグ装着の数、タグ装着の配置、などの多様な組合せにより数多く設定することができる。【００４７】  以上の説明のとおり、ＣＤあるいはＤＶＤ、Ａの多様な記録情報をケースの外部から効率良く識別できる系統的なタグの配列に置換えて標示し、ケース毎に視認性の高い特有のタグ識別配列を自在に構成して、図１２に示すように、棚や箱に数多く並べて収納するケースの中から特定のケースを能率良く検索することができる、ＣＤあるいはＤＶＤケースの枠外標示タグ装着によるインデックス装置である。
【産業上の利用可能性】
【００４８】  本発明は、ＣＤあるいはＤＶＤケースの製造産業およびその関連産業で利用される。
【符号の説明】
【００４９】  Ａ、                                          ＣＤあるいはＤＶＤ
１１、  １２、  １５、                          薄型ケース
１１ａ、１２ａ、１５ａ、                        脊部枠
１３、  １４、                                  袋状ケース
２１、  ２２、  ２５、                          タグ取付ガイド板
２１ａ、２２ａ、２３ａ、２４ａ、２５ａ、        ダボ穴
２１ｂ、２２ｂ、２５ｂ、                        ガイド溝
２２ｃ、２３ｃ、２４ｃ、                        底部
２３、  ２４、                                  偏平構造のタグ取付ガイド板
２３ｂ、２４ｂ、                                隙間
２３ｄ、２４ｄ、                                逆止鉤
３１ａ、３１ｂ、３１ｃ、                        タグ
３１ｄ、３２ｄ、３３ｄ、３４ｄ、３５ｄ、        識別標示部
３１ｅ、３２ｅ、３３ｅ、３４ｅ、３５ｅ、        上挟持部
３１ｆ、３２ｆ、３３ｆ、３４ｆ、３５ｆ、        下挟持部
３１ｇ、３２ｇ、３３ｇ、３４ｇ、３５ｇ、        ダボ
３１ｈ、３２ｈ、３５ｈ、                        誘導部
３２ａ、３２ｂ、３２ｃ、                        タグ
３３ａ、３３ｂ、３３ｃ、                        偏平構造のタグ
３３ｈ、３４ｈ、                                逆止溝
３４ａ、３４ｂ、３４ｃ、                        偏平構造のタグ
３５ａ、３５ｂ、３５ｃ、                        枠外標示タグ
Ｎ                                              位置符号
Ｗ                                              覗き窓
【図１】
2016050038.tif 000003
【図２】
2016050038.tif 000004
【図３】
2016050038.tif 000005
【図４】
2016050038.tif 000006
【図５】
2016050038.tif 000007
【図６】
2016050038.tif 000008
【図７】
2016050038.tif 000009
【図８】
2016050038.tif 000010
【図９】
2016050038.tif 000011
【図１０】
2016050038.tif 000012
【図１１】
2016050038.tif 000013
【図１２】
2016050038.tif 000014